(57)【要約】【課題】数字キー入力によって、ひらがな出力し、かな漢字変換機能等の入力に供すること。【解決手段】０と１から９の１０個のキーを数字キーと定義する。数字キーの内、５個に母音『あいうえお』を割り当てる。（以下、母音キー）数字キーの内、母音キーを除く５個の内、４個に子音、または子音行の選択を割り当てる。（以下、子音キー）子音、または子音行の選択は連続して押される子音キーの順列で決定する。数字キーの内、母音キー、子音キーを除く、残りの１個に一文字消去を割り当てる。ひらがな文字の確定は１：母音の入力、２：継続する子音、子音行入力の始め、３：文字、濁点、半濁点に割り当てた子音キーの順列の終り、で行う。上記のデータ構造とプログラムによる。【選択図】図１２
2007018469.tif 000002
【特許請求の範囲】
【請求項１】
コンピュータのキー、または多機能電話機のボタンによるユーザ・インターフェイスで数字キー入力でひらがなを出力するプログラムとそのデータ構造。その仕様は数字キーの内、５個に母音『あいうえお』を割り当て（以下、母音キー）数字キーの内、母音キーを除く５個の内、４個に子音、または子音行の選択を割り当て（以下、子音キー）子音、または子音行の選択は連続して押される子音キーの順列で決定する。
ひらがな文字の確定は１：母音の入力、２：継続する子音、子音行入力の始め、３：文字、濁点、半濁点に割り当てた子音キーの順列の終り、で行うものとする。
【請求項２】
請求項１に加えて、数字キーの内、母音キー、子音キーを除く、残りの１個に一文字消去を割り当て（以下、文字消去キー）、それを処理するプログラムとデータ構造。
【請求項３】
請求項２において、ひらがな文字を全角文字で表現し、（１３９７５）の順に『あいうえお』を割り当て、（２６８４）を子音キーとし、子音、子音行の選択は、連続して２回、子音キーを押すことにより、（２６）に『か行』、（６８）に『さ行』、（８４）に『た行』、（４２）に『な行』、（２４）に『は行』、（４８）に『ま行』、（８６）に『や行』、（６２）に『ら行』、（２２）に『ゃ行』、（８８）に『ぁ行』、（２８）に『わ』、（８２）に『を』、（６４）に『ん』、（４４）に『っ』、（４６）に『ー』、（６６）に『濁点』、例外的に濁点の後、続けて（６６）を押した場合に半濁点、（０）に一文字消去を割り当て、それを処理するプログラムとデータ構造。
【請求項４】
請求項２に加えて、ひらがな入力の開始と終了に数字キー以外を割り当て、それを処理するプログラムとデータ構造。
【請求項５】
請求項３に加えて、数字キーに対する母音キー、子音キー、文字消去キーを配置変換可能とし、子音キーを押す順列に対する子音行、文字、濁点、半濁点の関連付けを配置変換可能にしたプログラムとデータ構造。
【発明の詳細な説明】
【技術分野】
【０００１】コンピュータのキー、または多機能電話機のボタンによるユーザ・インターフェイスに関し、特に限定された打鍵要素による組み合わせ入出力に関する。
【背景技術】
【０００２】携帯電話の数字キーを入力して文字種のグループを選択し、同一キーの連打によって、選択する手段がある。しかし、入力状態をモニターする必要があり、打鍵回数も多い。（例えば、特許第３５６１６３７号）
【特許文献１】特許第３５６１６３７号
【発明の開示】
【発明が解決しようとする課題】
【０００３】数字キー入力によって、ひらがな出力し、かな漢字変換機能等の入力に供すること。
【課題を解決するための手段】
【０００４】０と１から９の１０個のキーを数字キーと定義する。【０００５】数字キーの内、５個に母音『あいうえお』を割り当てる。（以下、母音キー）【０００６】数字キーの内、母音キーを除く５個の内、４個に子音、または子音行の選択を割り当てる。（以下、子音キー）子音、または子音行の選択は連続して押される子音キーの順列で決定する。【０００７】数字キーの内、母音キー、子音キーを除く、残りの１個に一文字消去を割り当てる。（以下、文字消去キー）【０００８】ひらがな文字の確定は１：母音の入力、２：継続する子音、子音行入力の始め、３：文字、濁点、半濁点に割り当てた子音キーの順列の終り、で行う。【０００９】上記のデータ構造とプログラムによる。
【発明の効果】
【００１０】数字キー入力のみで、ひらがな出力が可能である。数字キーとひらがな選択の対応を覚えることで、モニターに頼らずに情報入力が可能になる。活動的な場面での記録に利用できる。
【発明を実施するための最良の形態】
【００１１】ひらがな文字を全角文字で表現する。【００１２】（１３９７５）の順に『あいうえお』を割り当てる。
（２６８４）を子音キーとする。子音、子音行の選択は連続して２回、子音キーを押すことによる。
（２６）に『か行』、（６８）に『さ行』、（８４）に『た行』、（４２）に『な行』、（２４）に『は行』、（４８）に『ま行』、（８６）に『や行』、（６２）に『ら行』、（２２）に『ゃ行』、（８８）に『ぁ行』、（２８）に『わ』、（８２）に『を』、（６４）に『ん』、（４４）に『っ』、（４６）に『ー』、
（６６）に『濁点』、例外的に濁点の後、続けて（６６）を押した場合に半濁点、（０）に一文字消去を割り当てる。【００１３】ひらがな入力の開始と終了に数字キー以外を割り当てる。【００１４】濁点、半濁点について、付点が可能な場合は全角１文字で表現する。付点できない場合、『゛』『゜』で表現する。【００１５】子音の決定前は出力部に子音行名称、例えば『か行』を出力する。【００１６】数字キーに対する母音キー、子音キー、文字消去キーは、配置変換可能とする。
子音キーを押す順列に対する子音行、文字、濁点、半濁点の関連付けは、配置変換可能とする。
【図面の簡単な説明】
【００１７】
【図１】数字キーと母音、子音、文字消去の配置例。
【図２】数字キー入力の状態遷移図。２４子音キーの継続は、発明を実施するための最良の形態において、（６６）『濁点』が選択され（６６）が押された場合に半濁点に変換する際、経由する。ひらがな入力の開始と終了は省く。
【図３】母音の配置用のデータ構造と内容。データ構造の番号は配列構造で実現されている。データ内容を振り替えることで母音キー、文字消去キーの配置変換が可能になる。
【図４】子音、または子音行決定の配置用のデータ構造と内容。データ構造の番号は配列構造で実現されている。オフセットは次の音の子音を得るために加えるコードのオフセット。ひらがなコードの並びによって異なる。オフセットの０は、オフセットを使用しないという意味で、対応表やロジックや直接値で次の音の子音を得る。データ内容を振り替えることで子音キーを押す順列に対する子音行、文字、濁点、半濁点の関連付けは、配置変換可能になる。子音キーは図３母音の配置用のデータ内容で指定した母音キー、文字消去キーと重複しないようにする。
【図５】数字キー入力、ひらがな出力の概要フローチャート。
【図６】初期、母音後、子音１文字後のフローチャート。
【図７】子音キーの始めのフローチャート。
【図８】子音、子音行の決定後のフローチャート。
【図９】濁点後のフローチャート。
【図１０】半濁点候補のフローチャート。
【図１１】一般的なひらがなコードの並び順。
【図１２】プログラム動作中の途中結果イメージ。
【図１３】プログラムを動作させる典型的なコンピュータの機能構成。
【符号の説明】
【００１８】１０母音、１１子音、１２文字消去、１３数字キー以外、２０初期状態、２１母音、２２子音キーの始め、２３子音キの終り、２４子音キーの継続、２５一文字消去、３０母音キーの配置用のデータ構造、３１母音キーの配置用のデータ内容、３２Ｘは一文字消去、４０子音、または子音行決定の配置用のデータ構造、４１子音、または子音行決定タイプ、４２子音、または子音行決定の配置用のデータ内容、１７０一般的なひらがなコードの並び順、１８０取得したいひらがな出力、１８１必要な数字キー入力、１８２入出力画面例、１８３入出力画面例のひらがな出力時の入力箇所、１９０プログラム、および処理データの保持部、１９１演算部、１９２入力部、１９３出力部、１９４データ保存部。
【図１】
2007018469.tif 000003
【図２】
2007018469.tif 000004
【図３】
2007018469.tif 000005
【図４】
2007018469.tif 000006
【図５】
2007018469.tif 000007
【図６】
2007018469.tif 000008
【図７】
2007018469.tif 000009
【図８】
2007018469.tif 000010
【図９】
2007018469.tif 000011
【図１０】
2007018469.tif 000012
【図１１】
2007018469.tif 000013
【図１２】
2007018469.tif 000014
【図１３】
2007018469.tif 000015